(57)【要約】【課題】複数の光源を備えた光源部を持つとともに、理想光軸に対してずれて配置された光源から出射した光を用いてディスクに記録を行うことを目的とした光ピックアップ装置において、集光点に発生するコマ収差に対し学習を行うことなく補正を行うことを可能とする。【解決手段】２つ以上の光源ａ１、ａ２、・・・、ａｎを備えた光源部１と、各光源からの光４をディスク６へ集光するためのコリメートレンズ２および対物レンズ３とを有した光ピック装置である。光源部１における任意の光源の位置とコリメートレンズ２の主点とを通る光軸７に対して、ディスク６および対物レンズ３が垂直に配置されている。光源部１における他の光源を使用してディスク６に記録を行う場合にディスク６上の集光点ｃに発生するコマ収差量を、他の光源の位置より求める。発生するコマ収差量を、対物レンズ３を傾けることでキャンセルする。【選択図】図２
2007335038.tif 000002
【特許請求の範囲】
【請求項１】
２つ以上の光源を備えた光源部と、前記各光源からの光をディスクへ集光するためのコリメートレンズおよび対物レンズとを有した光ピックアップ装置において、前記光源部における任意の光源の位置と前記コリメートレンズの主点とを通る光軸に対して、前記ディスクおよび対物レンズが垂直に配置されており、前記光源部における他の光源を使用して前記ディスクに記録を行う場合に前記ディスク上の集光点に発生するコマ収差量を、前記他の光源の位置より求め、前記発生するコマ収差量を前記対物レンズを傾けることでキャンセルするようにしたことを特徴とする光ピックアップ装置。
【発明の詳細な説明】
【技術分野】
【０００１】
本発明は、光ピックアップ装置に関し、特に、複数の光源を備えた光源部を持ち、一つの光源に対し発光点位置の最適化を行うとともに、それ以外の光源を使用する時にディスクの集光点に発生するコマ収差を補正する機能を備えた光ピックアップ装置に関する。
【背景技術】
【０００２】
光ピックアップ装置は、光ディスク装置の基幹部品であり、高倍速化および記録容量の向上に伴う高密度・高品位記録化に関する開発が活発に行われている。最近は、パーソナルコンピュータの普及に伴い、これらパーソナルコンピュータに搭載される光ディスク装置の数が増加し、これにあわせて光ピックアップ装置の普及率も高くなっている。
【０００３】
従来の光ピックアップ装置の概略図を図４および図５に示す。すなわち、ディスクに対し記録、再生を行う光ピックアップ装置として、図４および図５に示した構成の装置がある。
【０００４】
図示の光ピックアップ装置は、複数の光源より構成された光源部１と、コリメートレンズ２と、対物レンズ３とを備えている。６は、光ディスクである。光源部１の複数の光源は、波長の短い順番に光源ａ1、光源ａ２、・・・となっている。ａｎはｎ番目の光源である。７は図示の光学系の理想光軸で、最も波長の短い光源ａ１の発光点位置とコリメートレンズ２の主点とを通る線により決定されるものとする。よって、光源ａ１から出射した光４は、この理想光軸７に沿って進むことになる。光源ａ１以外の他の光源ａ２、・・・は、理想光軸７と交差する面内で、光源ａ１から距離をおいて位置している。
【０００５】
図４に示すように、光源部１の光源ａ１から出射した光４が、コリメートレンズ２を経て対物レンズ３によりディスク６の集光点ｃに集光する構成となっている。図５は、複数の光源より構成された光源部０１のうち、光源ａ２を使用した場合について示している。この場合は、光源ａ２は、上記のように理想光軸７と交差する面内で光源ａ１から距離をおいて位置しているため、光源ａ２からの光４は、理想光軸７には沿わずに進行する。このためコリメートレンズ２と対物レンズ３とを通過することによりコマ収差が発生する。光源ａ１、ａ２以外の他の光源・・・、ａｎについても、同様に理想光軸７と交差する面内で光源ａ１から距離をおいて位置しているため、理想光軸７には沿わずに進行し、コマ収差が発生する。
【０００６】
このように複数の光源を使用した時に発生するコマ収差を補正する例として、特許文献１に記載されたように液晶型素子を用いたものなどがある。
【特許文献１】特開２００５−１５８１０２号公報
【発明の開示】
【発明が解決しようとする課題】
【０００７】
すなわち、図５に示すように、光源ａ２より出射し、コリメートレンズ２を経て対物レンズ３によりディスク６へ集光した集光点ｃには、コマ収差が発生する。
図５における光源ａ２のように理想光軸７に対してずれた位置に配置された光源を用いる場合は、これまでディスク６からの信号を読み取る構成が主であり、ディスク６に対し記録を行う光ピックアップ装置はほとんど存在していない。
【０００８】
しかし、今後、小形化および低コスト化のために、図５に示すような構成を用いて、ディスク６に対し記録を行う光ピックアップ装置が必要になると考えられている。その場合は、ディスク６の集光点ｃに発生するコマ収差が記録品位を悪化させることが懸念される。
【０００９】
その対策として、装置の電源が投入された直後に装置の状況を認識して対応する、いわゆる学習を行って、コマ収差を補正することが可能である。しかし、その学習は、容易な作業ではない。
【００１０】
そこで本発明は、複数の光源を備えた光源部を持つとともに、理想光軸に対してずれて配置された光源から出射した光を用いてディスクに記録を行うことを目的とした光ピックアップ装置において、集光点に発生するコマ収差に対し学習を行うことなく補正を行うことを可能とすることを目的とする。
【課題を解決するための手段】
【００１１】
この目的を達成するため本発明は、２つ以上の光源を備えた光源部と、前記各光源からの光をディスクへ集光するためのコリメートレンズおよび対物レンズとを有した光ピックアップ装置において、前記光源部における任意の光源の位置と前記コリメートレンズの主点とを通る光軸に対して、前記ディスクおよび対物レンズが垂直に配置されており、前記光源部における他の光源を使用して前記ディスクに記録を行う場合に前記ディスク上の集光点に発生するコマ収差量を、前記他の光源の位置より求め、前記発生するコマ収差量を前記対物レンズを傾けることでキャンセルするようにしたものである。
【発明の効果】
【００１２】
本発明によると、上記した任意の光源以外の他の光源を使用してディスクに記録を行う場合に、ディスク上の集光点に発生するコマ収差量を、その光源の位置より求め、対物レンズを傾けることでコマ収差量をキャンセルすることが可能であり、複数の光源を持ち理想光軸に対してずれて配置された光源から出射した光を用いてディスクに記録を行うことを目的とした光ピックアップ装置において、集光点に発生するコマ収差に対し学習を行うことなく補正を行うことが可能となる。
【発明を実施するための最良の形態】
【００１３】
以下、本発明の実施の形態について、図１〜図３を参照して説明する。
図１および図２において、１はユニット化された光源部、２はコリメートレンズ、３は対物レンズ、４は光源部１からの光、６は光ディスク、ｃはディスク６の集光点である。ａ１、ａ２、・・・、ａｎは光源部１を構成するそれぞれの光源であり、上述のように光源部１においてユニット化されており、ａ１、ａ２、・・・、ａｎの順で波長が長くなっている。７は、光源部１の中の光源ａ１の位置とコリメートレンズ２の主点とを結ぶ線により決定される理想光軸である。対物レンズ３と光ディスク６とは、理想光軸７に対して垂直に配置されている。光源ａ１以外の他の光源ａ２、・・・、ａｎは、理想光軸７と交差する面内で、光源ａ１から距離をおいて位置している。
【００１４】
図３において、ｄは、図２に示すように光源ａ２を使用した場合にディスク６上の集光点ｃに発生するコマ収差を表わす。またｅは、対物レンズ３を傾けることでディスク６の集光点ｃ上に発生させた任意量のコマ収差を表わす。そしてｆは、コマ収差ｄとコマ収差ｅとを重ね合わせた合成波面を表わしている。
【００１５】
図２に示すように光源ａ２を使用してディスク６に対し記録を行う場合には、光源ａ２が上記のように理想光軸７と交差する面内で光源ａ１から距離をおいて位置しているため、光源ａ２からの光４は、理想光軸７には沿わずに進行する。このため、ディスク６上のスポットｃには、図３に示すようなコマ収差ｄが発生する。このコマ収差ｄは、理想光軸７と光源ａ２との距離などから求めることが可能である。すなわち、図２に示す、光源ａ２の位置と、たとえば理想光軸７に対するコリメートレンズ２から対物レンズ３への光４の入射角度とにより求めることが可能である。そこで、対物レンズ３を任意量傾けることにより図３のコマ収差ｅを発生させて、図３の波面ｆのように、コマ収差ｄを解消させる補正を行うことが可能である。換言すると、光源部１がユニット化されているため、理想光軸７に対する光源ａ２の相対位置は一定と見なすことができ、容易に決定することが可能である。そして、ディスク６上の集光点ｃに発生するコマ収差は、理想光軸７に対する光源ａ２の相対位置にほぼ比例することから、一義的に求めることが可能である。よって、これと逆方向かつ同量のコマ収差を、対物レンズ３を任意量傾けることで発生させ、それによって補正を行う。
【００１６】
このため、ユニット化された複数の光源ａ１、ａ２、・・・、ａｎを持った光源部１から出射した光によりディスク６上の集光点ｃに発生したコマ収差を、初期学習を行うことなしに補正することが可能となる。
【産業上の利用可能性】
【００１７】
本発明の光ピックアップ装置は、光源を使用してディスクに記録を行う場合に、ディスク上の集光点に発生するコマ収差量を、その光源の位置より求め、対物レンズを傾けることでコマ収差量をキャンセルすることが可能であり、複数の光源を持ち理想光軸に対してずれて配置された光源から出射した光を用いてディスクに記録を行うことを目的とした光ピックアップ装置において、集光点に発生するコマ収差に対し学習を行うことなく補正を行うことが可能となるものであって、複数の光源を備えた光源部を持ち、一つの光源に対し発光点位置の最適化を行うとともに、それ以外の光源を使用する時にディスクの集光点に発生するコマ収差を補正する機能を備えた光ピックアップ装置として有用である。
【図面の簡単な説明】
【００１８】
【図１】本発明の実施の形態の光ピックアップ装置の概略構成図
【図２】図１の光ピックアップ装置の動作状態を示す概略構成図
【図３】本発明にもとづきコマ収差を補正する原理を示す図
【図４】従来の光ピックアップ装置の概略構成図
【図５】図４の光ピックアップ装置の動作状態を示す概略構成図
【符号の説明】
【００１９】
１    光源部
ａ１    光源
ａ２    光源
２    コリメートレンズ
３    対物レンズ
６    光ディスク
７    理想光軸
ｃ    集光点
【図１】
2007335038.tif 000003
【図２】
2007335038.tif 000004
【図３】
2007335038.tif 000005
【図４】
2007335038.tif 000006
【図５】
2007335038.tif 000007